【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】  無線通信装置が共通のチャネルプールを使用して複数のセルラー基地局を持ったセルラーネットワーク及びコードレス基地局を介して選択的に通信するように構成された複式モードの通信システムにおいて、前記無線通信装置が前記コードレス基地局との通信を試みることを可能にする方法であって：
多数の制御チャネルの中から、他の選択されない制御チャネルより良質の信号品質を呈する複数のローカル制御チャネルを選択すること；
前記選択されたローカル制御チャネルの各々に対して、前記ローカル制御チャネルを一斉送信している前記セルラー基地局を識別しているローカル局識別子を決定すること；
前記多数の制御チャネルの１つを介して送信されているセルラー基地局識別子を前記無線通信装置で受信すること；及び、
前記受信した一斉送信基地局識別子が前記ローカル局識別子の１つに一致した場合、前記無線通信装置からメッセージを送信すること、
のステップを含む方法。
【請求項２】  前記選択すること及び前記決定することのステップが前記コードレス基地局の無線通信可能領域で起きる、請求項１に記載の方法。
【請求項３】  前記選択すること及び前記決定することのステップが前記無線通信装置で実行され、前記方法がさらに前記選択すること及び前記決定することのステップの前に、前記無線通信装置が前記無線通信可能領域に位置することを確認するステップを含む、請求項２に記載の方法。
【請求項４】  前記信号品質が検出された前記制御チャネルの１つに対する瞬間的な信号強度であり、前記選択することのステップがさらに：
前記多数のセルラー基地局の各々によって連続的に一斉送信されている前記多数の制御チャネルの各々に受信機を連続的に同調させること；及び、
前記制御チャネルの各々に対して、前記受信機によって検出される無線周波数エネルギーである前記瞬間的な信号強度を測定することであって、前記瞬間的な信号強度が前記複数のローカル制御チャネルとなる前記制御チャネルのいくつかを識別することを特徴とする信号強度を測定すること、
のステップを含む、請求項１に記載の方法。
【請求項５】  前記決定することのステップが：
受信機を前記ローカル制御チャネルの各々に同調させること；及び、
前記制御チャネルの各々に対し、前記ローカル制御チャネル上を一斉送信されているメッセージから前記ローカル局識別子を検出すること、
のステップを含む、請求項１に記載の方法。
【請求項６】  前記決定することのステップが前記無線通信装置のメモリー部分に前記ローカル局識別子をプログラムすることのステップを含む、請求項１に記載の方法。
【請求項７】  前記受信した一斉送信基地局識別子が前記ローカル局識別子のどれとも一致しない場合、前記無線通信装置から前記メッセージが送信されることを防ぐことのステップをさらに含む、請求項１に記載の方法。
【請求項８】  前記無線通信装置が、前記無線通信装置が前記コードレス基地局の前記無線通信可能領域の外側に移動したとき、前記セルラーネットワークを介して通信するように構成されており、前記方法がさらに前記無線通信装置が前記コードレス無線通信可能領域の内側に移動したときに、前記選択すること及び前記決定することのステップを繰り返すステップを含む、請求項１に記載の方法。
【請求項９】  前記無線通信装置がその中に前記ローカル局識別子がプログラムされるメモリーを含み、前記繰り返される、決定することのステップが前記プログラムされたローカル局識別子を更新されたローカル局識別子に置き換えることのステップを含む、請求項８に記載の方法。
【請求項１０】  共通のチャネルプールを使用して、複数のセルラー基地局を持ったセルラーネットワーク及びコードレス基地局を介して選択的に通信するように構成された無線通信装置であって：
多数の制御チャネルから、各々が選択されない他の前記制御チャネルの瞬間的な信号品質より良質な瞬間的な信号品質を呈する複数のローカル制御チャネルを選択するように構成された制御器であって、前記ローカル制御チャネルを一斉送信している前記セルラー基地局を識別している、前記ローカル制御チャネルに対するローカル局識別子を決定するように構成されている制御器；
前記制御器に接続されており、前記多数の制御チャネルの１つによって送信されるセルラー基地局識別子を受信するように構成されている受信機；及び、
前記制御器に接続されており、前記セルラー基地局識別子が前記ローカル局識別子の１つに一致した場合、メッセージを送信するように構成されている無線通信装置送信機、
から成る無線通信装置。
【請求項１１】  前記セルラー基地局識別子が前記ローカル局識別子のいずれにも一致しない場合、前記制御器が前記メッセージの送信をしないように構成されている、請求項１０に記載の無線通信装置。
【請求項１２】  前記制御器に接続され、前記ローカル局識別子を格納するように構成されたメモリー部分をさらに備える、請求項１０に記載の無線通信装置。
【請求項１３】  前記無線通信装置が前記コードレス基地局の前記無線通信可能領域の外側に移動したとき、前記無線通信装置が前記セルラーネットワークを介して通信するように構成されており、前記無線通信装置が前記無線通信可能領域の内側に移動したとき、前記制御器が前記ローカル局識別子を更新するように構成されている、請求項１０に記載の無線通信装置。
【請求項１４】  無線通信装置が、それがコードレス基地局の無線通信可能領域の中に位置すると決定した後、実質的に無線周波数を発生していない前記コードレス基地局との通信を着手する複式モード通信システムにおいて、前記無線通信装置及び前記コードレス基地局をセルラー基地局に適用させるための方法であって：
前記コードレス基地局の無線通信可能領域内で他のセルラー基地局の制御チャネルより良質の信号品質を呈するセルラー基地局の制御チャネルを電子的に検出することであって、前記検出された制御チャネルがベターサーバーセルラー基地局によって送信されている、制御チャネルを電子的に検出すること；及び、
前記コードレス基地局との通信を着手する前の先行動作として、前記装置が前記ベターサーバーセルラー基地局の無線通信可能領域内にあることを確認すること、
を含む方法。
【請求項１５】  前記検出動作が前記装置内で実行される、請求項１４に記載の方法。
【請求項１６】  前記電子的な検出動作の先行動作として、前記装置が前記コードレス基地局の無線通信可能領域内にあることを確認することの動作を付加的に含む、請求項１５に記載の方法。
【請求項１７】  前記ベターサーバーセルラー基地局に対するベターサーバー識別子を決定することを付加的に含む、請求項１６に記載の方法。
【請求項１８】  前記検出動作が前記コードレス基地局の前記無線通信可能領域内で、各々が他のセルラー基地局制御チャネルより良質の信号品質を呈する複数のセルラー基地局制御チャネルを検出し；
前記装置が前記複数のセルラー基地局制御チャネルに対応する複数のベターサーバー識別子を決定し；
前記装置が前記複数のベターサーバー識別子への応答で、前記ベターサーバー識別子の更新されたリストを形成し；さらに、
前記ベターサーバー識別子の前記更新されたリストへの応答で前記確認動作が前記装置内で実行される、
請求項１４に記載の方法。
【請求項１９】  無線通信装置が共通のチャネルプールを使用して複数のセルラー基地局を持ったセルラーネットワーク及びコードレス基地局を介して選択的に通信するように構成された複式モードの通信システムにおいて、前記無線通信装置が前記コードレス基地局との通信を試みることを可能にする方法であって：
ａ）セルラー基地局の各々によって連続的に一斉送信されている多数の制御チャネルの各々に受信機を同調させること；
ｂ）前記制御チャネルの各々に対し、前記受信機によって検出された無線周波数エネルギーである前記制御チャネルの瞬間的な信号強度を測定すること；
ｃ）前記多数の制御信号から、各々が選択されなかった他の前記制御チャネルに対する瞬間的な信号強度より大きい瞬間的な信号強度を呈する複数のローカル制御チャネルを選択すること；
ｄ）前記受信機を前記ローカル制御チャネルの各々に同調させること；
ｅ）前記ローカル制御チャネルの各々に対し、前記ローカル制御チャネルの１つで一斉送信している前記セルラー基地局の１つを識別している前記ローカル局識別子を前記ローカル制御チャネル上のメッセージストリーム一斉送信から決定すること；
ｆ）前記無線通信装置で、前記多数の制御チャネルの１つにより送信されている前記セルラー基地局識別子を受信すること；及び、
ｇ）前記セルラー基地局識別子が前記ローカル局識別子の１つに一致した場合、前記無線通信装置からメッセージを送信すること、
のステップを含む方法。
【請求項２０】  前記無線通信装置が前記コードレス基地局の無線通信可能領域の外側に移動したとき、前記無線通信装置が前記セルラーネットワークを介して通信するように構成され、前記無線通信装置が前記コードレス無線通信可能領域の内側に移動したとき、前記方法が前記ステップａ）−ｅ）を繰り返すことを含む、請求項１９に記載の方法。